(57)【要約】【課題】洗い場側から汚れた水が入り込むことがなく、良好に湯を溜めて足湯を行うことのできる防水床構造を提供する。【解決手段】洗い場３と足湯場５の２つの凹部を設けた防水パン２であって、それぞれの凹部３，５には排水口３ａ，５ａが設けられ、足湯場５の排水口５ａには水を溜めるための排水栓５ｂが設けられており、足湯場５の洗い場３と反対側には腰掛部７が形成されている。【選択図】図２
2007170007.tif 000002
【特許請求の範囲】
【請求項１】
洗い場と足湯場の２つの凹部を設けた防水床であって、前記それぞれの凹部には排水口が設けられ、前記足湯場の排水口には水を溜めるための排水栓を設けたことを特徴とする防水床構造。
【請求項２】
前記足湯場の洗い場と反対側に腰掛部が設けられている請求項１に記載の防水床構造。
【請求項３】
２つの凹部間の堤防と同じ高さのスノコ載置部を、各凹部の少なくとも対向する２辺に設けたことを特徴とする請求項１に記載の防水床構造。
【請求項４】
足湯場の腰掛部の立上壁とスノコ載置部との間に、スノコを差し込む空間を設けたことを特徴とする請求項３に記載の防水床構造。
【請求項５】
前記腰掛部の裏を配管スペースとし、該腰掛部または腰掛部の立上壁に開口を設けて作業口としたことを特徴とする請求項２に記載の防水床構造。
【発明の詳細な説明】
【技術分野】
【０００１】
本発明は、ユニットルームの床面を構成する防水床の構造に関するものである。
【背景技術】
【０００２】
従来、特許文献１に開示されているように、ユニットルームの床面を構成する防水床に、湯溜め部と腰掛部を設けた構造のものが存在する。
【特許文献１】特許第２８８１０７６号公報
【発明の開示】
【発明が解決しようとする課題】
【０００３】
特許文献１に開示されている防水床構造では、湯溜め部は腰湯用に使用することができるものであるが、この湯溜め部内に洗い場からの汚れた水が入り込んでしまい、良好に腰湯を行うことができないという問題点があった。
【課題を解決するための手段】
【０００４】
本発明は上記従来の問題点に鑑み案出したものであって、水が汚れることがなく、良好に足湯を行うことのできる防水床構造を提供するものであり、その請求項１は、洗い場と足湯場の２つの凹部を設けた防水床であって、前記それぞれの凹部には排水口が設けられ、前記足湯場の排水口には水を溜めるための排水栓を設けたことである。
【０００５】
また請求項２は、前記足湯場の洗い場と反対側に腰掛部が設けられていることである。
【０００６】
また請求項３は、２つの凹部間の堤防と同じ高さのスノコ載置部を、各凹部の少なくとも対向する２辺に設けたことである。
【０００７】
また請求項４は、足湯場の腰掛部の立上壁とスノコ載置部との間に、スノコを差し込む空間を設けたことである。
【０００８】
また請求項５は、前記腰掛部の裏を配管スペースとし、該腰掛部または腰掛部の立上壁に開口を設けて作業口としたことである。
【発明の効果】
【０００９】
本発明は、洗い場と足湯場の２つの凹部を設けた防水床であって、それぞれの凹部には排水口が設けられ、足湯場の排水口には水を溜めるための排水栓を設けたことにより、足湯場に湯を溜めて良好に足湯を行うことができ、足湯場には洗い場の汚れた水が入り込むことがなく、また、足湯場からオーバーフローした水は良好に洗い場に受け止められて漏水することがないものとなる。
また、足湯と身体洗浄ができるコンパクトなシャワー入浴空間を実現できるものとなる。
【００１０】
また、足湯場の洗い場と反対側に腰掛部が設けられていることにより、腰掛部に腰掛けて、楽な姿勢で足湯場で足湯を行うことができるものとなる。
【００１１】
また、２つの凹部間の堤防と同じ高さのスノコ載置部を、各凹部の少なくとも対向する２辺に設けたことにより、スノコ載置部上にスノコを覆設させて、スノコで洗い場および足湯場の上面を覆い隠すことができ、足湯場からのオーバーフロー水が表面から見えないようにすることができる。
また、足湯を使わない時にはスノコで足湯場を覆い、スノコによるフラットな大きな床面を得ることができ、スノコにより洗い場と足湯場の床レベルを揃えることができて、出入口の段差をなくすこともできるものとなる。また、スノコにより床の水切りが良好に行われて、滑り難い床面となる。
【００１２】
また、足湯場の腰掛部の立上壁とスノコ載置部との間に、スノコを差し込む空間を設けたことにより、切欠きにスノコを立て、スノコを邪魔にならないように腰掛部側に立て掛けて良好に収納できるものとなる。
【００１３】
また、前記腰掛部の裏を配管スペースとし、該腰掛部または腰掛部の立上壁に開口を設けて作業口としたことにより、腰掛部の裏側に良好に排水管および給水管を隠蔽状に配管することができ、しかも作業口からこの配管等を良好に作業できるものとなる。
また、ユニット外に配管不要な分、浴室設置スペースを小さくできるものとなる。
【実施例】
【００１４】
以下、本発明の実施例を図面に基づいて説明する。
図１は、シャワーユニットの設置状態の概略斜視構成図であり、図２は、シャワーユニットの床面を構成する防水パンの斜視構成図である。
【００１５】
図において、シャワーユニット１の防水パン２の外周には水切り片２ａが立設されており、防水パン２には、洗い場３と足湯場５の２つの凹部が堤防４で仕切られて形成され、洗い場３には排水口３ａが形成され、また、足湯場５には排水栓５ｂを備えた排水口５ａが形成されている。なお、排水栓５ｂの鎖の上端は堤防４に固定されている。
【００１６】
また、足湯場５の洗い場３と反対側には立上壁６が立ち上げられて、その上端に略水平状に腰掛部７が成されており、この腰掛部７の裏側は配管スペースＳとなっており、腰掛部７から壁パネル８が立設されている。
また、図１に示すように、シャワーユニット１内には、手摺り９およびハンドシャワー１０が設置されており、天井面には照明１１が設けられて、更に天井裏に換気ダクト１２が配設されて換気が可能に構成されている。
また、図に示すように、便器１３の配置スペースの照明や換気を行えるように構成されている。
【００１７】
また、本例では、シャワーユニット１の室外に便器１３が設置されており、この便器１３の配管キャビネット１４上には吐水口１４ａが設けられ、この配管キャビネット１４内には便器１３用の便器排水管１６が隠蔽状に配管されており、この便器排水管１６が配管キャビネット１４から横方向に延びてシャワーユニット１の配管スペースＳ内に所定勾配で配管されたものとなっている。
なお、配管スペースＳ内には、排水口３ａ，排水口５ａに連通する排水管１７、およびハンドシャワー１０，吐水口１４ａへ給水するための給水管１８が隠蔽状に配管されている。
【００１８】
なお、図３に示すように、立上壁６の上面に配管スペースＳ内を作業するための作業口６ａを開口させておき、作業口６ａに着脱可能に蓋を覆設して、この蓋が腰掛部７となるように構成しておくこともでき、配管スペースＳに隠蔽状に配管されている各配管を良好に作業できるものとなる。また、作業口は、腰掛部７の立上壁６に設けても良い。
【００１９】
なお、本例では、排水口５ａに排水栓５ｂを差し込んで、排水口５ａを閉止させた状態で足湯場５内に湯を溜めて、腰掛部７に腰掛けてゆったりとした状態で足湯場５内で足湯を行うことができる。
なお、堤防４に遮断されて洗い場３側からの汚れた水が足湯場５内に入ることはなく、きれいな湯で足湯を行うことができるものである。
また、足湯場５からオーバーフローした湯水は、洗い場３側に流されて排水口３ａから良好に排水されるため、オーバーフローした水が室外に漏れることはない。
【００２０】
なお、図４は変更例を示すものであり、図４の防水パン２では、堤防４と同じ高さのスノコ載置部１９ａ，１９ｂが、水切り片２ａに沿って対向状に一体形成されたものとなっており、スノコ載置部１９ａおよび１９ｂは、洗い場３および足湯場５のそれぞれの対向する２辺に堤防４と直行状に配置されたものであり、このスノコ載置部１９ａ，１９ｂ上にスノコ２０を載せることができ、スノコ２０をスノコ載置部１９ａ，１９ｂに載せた状態では、洗い場３および足湯場５がスノコ２０で隠されて、足湯場５からのオーバーフロー水が表面から見えないようにすることができ、また、スノコ２０を設置した状態で、スノコ２０の上面と水切り片２ａの上端がほぼ同一高さになるように設定しておけば、出入口の段差をなくすことができるものとなる。
また、スノコ２０を設置することで良好に床の水切りができ、滑り難い床面を構成することができるものとなる。
なお、スノコ２０は、洗い場３と足湯場５を同時に覆蓋できる大きさのものであっても、また、洗い場３用のスノコ２０ａと、足湯場５用のスノコ２０ｂを別々に被せるように構成することもできる。
【００２１】
なお、更に図５に示すように、スノコ載置部１９ａ，１９ｂの立上壁６側の端部を下方側へ切り込んで切欠き部Ｋを形成させておけば、この切欠き部Ｋ内にスノコ２０を差し込んで、スノコ２０を立上壁６に沿って立ち上げ状にして腰掛部７側へもたれかけさせておくことができ、スノコ２０を邪魔にならないように立て掛けることができる。
また、洗い場用のスノコ２０ａと足湯場用のスノコ２０ｂが分かれている場合、図６に示すように、足湯場用スノコ２０ｂだけを立て掛けておけば、足湯を使えて、座る時に邪魔にならない。
【００２２】
なお、図７の縦断面図に示す防水パン２は、２階の床２１に段差をなくして設置したものであり、図７のように、２階の床２１からＬ字状の架台２２，２２を設けておき、この架台２２，２２上に高さ調整ボルト２３を載せて、高さ調整ボルト２３により防水パン２の高さを調整して、２階の床２１と防水パン２のスノコ２０上面との間に段差が生じないようにして、シャワーユニット１を２階に設置することができる。
なお、図７のシャワーユニット１においても、腰掛部７の裏側の配管スペースＳ内に、便器１３側から便器排水管１６を所定勾配で通して、良好に排水管等を隠蔽できるものである。
【図面の簡単な説明】
【００２３】
【図１】シャワーユニットと便器の設置状態の概略構成図である。
【図２】図１のシャワーユニットの床面を構成する防水パンの斜視構成図である。
【図３】シャワーユニットの立上壁の上面に作業口を開口させ、作業口に着脱可能に蓋を覆設した防水パンの斜視構成図である。
【図４】防水パンにスノコ載置部を一体形成してスノコを被せることができるように構成した斜視図である。
【図５】更にスノコを立て掛けて収納できる切欠きを形成した場合の斜視構成図である。
【図６】分割したスノコを立て掛けて収納した場合の斜視構成図である。
【図７】２階に防水パンを段差が生じないように設置した場合の縦断面構成図である。
【符号の説明】
【００２４】
１  シャワーユニット
２  防水パン
２ａ  水切り片
３  洗い場
３ａ  排水口
４  堤防
５  足湯場
５ａ  排水口
５ｂ  排水栓
６  立上壁
６ａ  作業口
７  腰掛部
８  壁パネル
１０  ハンドシャワー
１３  便器
１４  配管キャビネット
１６  便器排水管
１７  排水管
１８  給水管
１９ａ，１９ｂ  スノコ載置部
２０  スノコ
２０ａ  洗い場用のスノコ
２０ｂ  足湯場用のスノコ
２１  ２階床
２２  架台
２３  高さ調整ボルト
Ｋ  切欠き
Ｓ  配管スペース
【図１】
2007170007.tif 000003
【図２】
2007170007.tif 000004
【図３】
2007170007.tif 000005
【図４】
2007170007.tif 000006
【図５】
2007170007.tif 000007
【図６】
2007170007.tif 000008
【図７】
2007170007.tif 000009